(57)【要約】【課題】試験液を垂らしたテスト部位を中心にして保護することが可能なパッチテスト用保護具およびこれを用いたパッチテスト方法の提供。【解決手段】皮膚上のテスト部位に触れないように当該テスト部位を被覆する被覆部１３であり、中心部に開口部１３Ａを有する被覆部１３と、開口部１３Ａを閉塞可能な蓋部１４と、被覆部１３を皮膚上に貼着可能にする貼着部１１とを含むパッチテスト用保護具１である。【選択図】図６
2018064937.tif 000002
【特許請求の範囲】
【請求項１】
皮膚上のテスト部位に触れないように当該テスト部位を被覆する被覆部であり、中心部に開口部を有する被覆部と、
前記開口部を閉塞可能な蓋部と、
前記被覆部を前記皮膚上に貼着可能にする貼着部と
を含むパッチテスト用保護具。
【請求項２】
前記蓋部は開閉可能である請求項１記載のパッチテスト用保護具。
【請求項３】
前記蓋部の少なくとも一部が通気性を有する請求項１または２に記載のパッチテスト用保護具。
【請求項４】
前記蓋部は、水が浸入しない程度の微小な通気孔を有する請求項１から３のいずれか１項に記載のパッチテスト用保護具。
【請求項５】
前記被覆部または前記蓋部の一方または両方の少なくとも一部が透明である請求項１から４のいずれか１項に記載のパッチテスト用保護具。
【請求項６】
前記被覆部は、プラスチック製であり、
前記蓋部は、複数の通気孔が形成されたプラスチック製の板に通気防水性フィルタを重ねたものである請求項１から５のいずれか１項に記載のパッチテスト用保護具。
【請求項７】
請求項１から６のいずれか１項に記載のパッチテスト用保護具を前記貼着部により前記皮膚上のテスト部位に貼着すること、
前記被覆部の開口部を通じて前記皮膚上のテスト部位に試験液を垂らすこと、
前記被覆部の開口部を前記蓋部により閉塞すること
を含むパッチテスト方法。
【発明の詳細な説明】
【技術分野】
【０００１】
本発明は、パッチテスト用保護具およびこれを用いたパッチテスト方法に関する。
【背景技術】
【０００２】
美容室においてパーマ（パーマネント・ウエーブ）やヘアカラー等をする際、薬物過敏症の試験、いわゆるパッチテストを行うことが義務付けられている。パッチテストでは、試験液を皮膚上に垂らし、衣服等につかないように注意して３０分程度放置して乾かした後、１回目の観察を行い、異常がなければ余分な試験液を軽く拭き取って、そのまま丸２日間程度触れないようにし、その後、２回目の観察を行う（例えば、非特許文献１参照。）。しかしながら、テスト者が実生活の中で、このパッチテストを実施する間、テスト部位に触れないようにすることは難しい。
【０００３】
なお、傷口などの患部に塗布された薬を外界から保護するものとしては、例えば特許文献１に記載の患部塗布薬保護帯が知られている。この患部塗布薬保護帯は、凹型伏覆材を支持帯に固着したものであり、塗布薬上に凹型伏覆材の空間部を傘様に伏せて被せた後、支持帯を周辺の皮膚に貼着することで、塗布薬が外界から保護されることになる。
【先行技術文献】
【特許文献】
【０００４】
【特許文献１】実開昭６１−５７９２１号公報
【非特許文献】
【０００５】
【非特許文献１】“皮膚アレルギー試験（パッチテスト）の手順”，［online］，日本ヘアカラー工業会，［平成２８年１０月７日検索］，インターネット＜ＵＲＬ：http://www.jhcia.org/advice/advice_patch/＞
【発明の概要】
【発明が解決しようとする課題】
【０００６】
上記特許文献１に記載の患部塗布薬保護帯は、傷口などの患部に塗布された薬を外界から保護するものであり、薬物過敏症の試験を行うテスト部位を保護するものではないが、仮にこの患部塗布薬保護帯を用いてテスト部位を保護しようとした場合、テスト部位に試験液を垂らした上で、凹型伏覆材を上から伏せて被せていくことになる。しかしながら、このとき、試験液を垂らしたテスト部位が伏せて被せようとする凹型伏覆材の陰に隠れるようになるため、凹型伏覆材が試験液を垂らしたテスト部位の中心に位置するように上から伏せて被せることは難しい。
【０００７】
そこで、本発明においては、試験液を垂らしたテスト部位を中心にして保護することが可能なパッチテスト用保護具およびこれを用いたパッチテスト方法を提供することを目的とする。
【課題を解決するための手段】
【０００８】
本発明のパッチテスト用保護具は、皮膚上のテスト部位に触れないように当該テスト部位を被覆する被覆部であり、中心部に開口部を有する被覆部と、開口部を閉塞可能な蓋部と、被覆部を皮膚上に貼着可能にする貼着部とを含むことを特徴とする。
【０００９】
また、上記本発明のパッチテスト用保護具を用いたパッチテスト方法は、上記本発明のパッチテスト用保護具を貼着部により皮膚上のテスト部位に貼着すること、被覆部の開口部を通じて皮膚上のテスト部位に試験液を垂らすこと、被覆部の開口部を蓋部により閉塞することを特徴とする。
【００１０】
本発明のパッチテスト用保護具は、被覆部の中心部に開口部を有するため、皮膚上に試験液を垂らす前に、貼着部により皮膚上のテスト部位に貼着した後、被覆部の開口部を通じてテスト部位の中心位置に試験液を正確に垂らすことが可能である。そして、試験液を垂らした後は、被覆部の開口部を蓋部により閉塞することで、試験液を垂らしたテスト部位を中心にして保護することが可能となる。
【００１１】
ここで、蓋部は開閉可能であることが望ましい。これにより、テスト部位の観察は蓋部を開いて行うことが可能となり、観察後は蓋部を閉じることでテスト部位を保護することが可能となる。あるいは、被覆部または蓋部の一部または両方の一部を透明とすることで、テスト部位の観察を、被覆部または蓋部の透明な部分を通じて外部から行うことも可能となる。
【００１２】
また、蓋部の少なくとも一部は通気性を有することが望ましい。これにより、テスト部位が酸欠状態となることを防止することができ、またテスト部位が蒸れることを防止することができる。
【００１３】
蓋部は、水が浸入しない程度の微小な通気孔を有することが望ましい。これにより、水がかかっても通気孔を通じて水が浸入することを防止しつつ、テスト部位が酸欠状態となることを防止することができ、またテスト部位が蒸れることを防止することができる。
【発明の効果】
【００１４】
本発明のパッチテスト用保護具によれば、試験液を垂らしたテスト部位を中心にして保護することが可能となる。
また、蓋部を開閉可能、あるいは被覆部または蓋部の一部または両方の一部を透明とすることで、テスト部位を外部から観察することが可能となる。
【図面の簡単な説明】
【００１５】
【図１】本発明の実施の形態におけるパッチテスト用保護具の蓋部を開いた状態を示す斜視図である。
【図２】図１のパッチテスト用保護具の蓋部を閉じた状態を示す斜視図である。
【図３】図１のパッチテスト用保護具の分解斜視図である。
【図４】パッチテスト用保護具の別の実施形態を示す斜視図である。
【図５】パッチテスト用保護具の別の実施形態を示す平面図である。
【図６】本発明のさらに別の実施の形態におけるパッチテスト用保護具の蓋部を開いた状態を示す斜視図である。
【図７】図６の平面図である。
【図８】図６の正面図である。
【図９】図７の蓋部を開いた状態におけるＩＸ−ＩＸ断面図である。
【図１０】図７の蓋部を閉じた状態におけるＩＸ−ＩＸ断面図である。
【発明を実施するための形態】
【００１６】
図１は本発明の実施の形態におけるパッチテスト用保護具の蓋部を開いた状態を示す斜視図、図２は図１のパッチテスト用保護具の蓋部を閉じた状態を示す斜視図、図３は図１のパッチテスト用保護具の分解斜視図である。
【００１７】
図１〜図３に示すように、本発明の実施の形態におけるパッチテスト用保護具１は、皮膚上に貼着可能な貼着部２と、中心部に開口部３Ａを有し、貼着部２上に固着された被覆部３と、被覆部３の開口部３Ａを閉塞可能な蓋部４とから構成される。
【００１８】
貼着部２は、被覆部３を皮膚上に貼着可能にするものである。貼着部２は、例えば、ウレタンフィルム等のシート状物の裏面（皮膚に貼着される面）に、粘着剤を設けたものとすることができる。また、貼着部２の中心部には、この貼着部２が皮膚上に貼着された際に、皮膚上のテスト部位を被覆部３内に露出させるための開口部２Ａが形成されている。
【００１９】
被覆部３は、上部に前述の開口部３Ａが、下部に皮膚上のテスト部位に臨む開口部３Ｂが、それぞれ形成されたリング状である。被覆部３は、例えばＰＥＴ（ポリエチレンテレフタレート）樹脂などの透明なプラスチック製とすることができる。被覆部３は、貼着部２の開口部２Ａの周縁部に固着され、皮膚上のテスト部位に触れないように当該テスト部位を被覆するものである。
【００２０】
蓋部４は、被覆部３の上部の開口部３Ａを閉塞するためのものである。蓋部４は、例えば、複数の通気孔４Ａ−１が形成されたＰＥＴ樹脂等の透明なプラスチック製の板４Ａに通気防水性フィルタ４Ｂを重ねたものとすることができる。通気防水性フィルタ４Ｂは、水を通さず、空気を通し、湿気を送り出すフィルタである。なお、蓋部４は開閉可能なものとすることが望ましいが、後述するように開口部３Ａを通じて試験液を垂らして一旦閉じた後は開かない構造としても良い。
【００２１】
上記構成のパッチテスト用保護具１は、まず、貼着部２により皮膚上のテスト部位に貼着する。次に、被覆部３の開口部３Ａ，３Ｂを通じて皮膚上のテスト部位に試験液を垂らす。そして、被覆部３の開口部３Ａを蓋部４により閉塞する。
【００２２】
このように、本実施形態におけるパッチテスト用保護具１は、被覆部３の中心部に開口部３Ａを有するため、皮膚上に試験液を垂らす前に、貼着部２により皮膚上のテスト部位に貼着した後、被覆部３の開口部３Ａを通じてテスト部位の中心位置に試験液を正確に垂らすことが可能である。そして、試験液を垂らした後は、被覆部３の開口部３Ａを蓋部４により閉塞することで、試験液を垂らしたテスト部位を中心にして保護することが可能である。
【００２３】
なお、テスト部位の観察は、被覆部３の透明な部分を通じて外部から行うことが可能である。また、本実施形態における蓋部４は、通気孔４Ａ−１が形成された板４Ａに通気防水性フィルタ４Ｂを重ねたものであるため、通気性および透湿性に優れており、テスト部位が蒸れることを防止することができる。さらに、水を通さないため、日常生活において濡れることを極度に心配する必要もない。
【００２４】
なお、本実施形態においては、被覆部３のみが透明であり、蓋部４は透明な板４Ａに通気防水性フィルタ４Ｂを重ねたものである。通気防水性フィルタ４Ｂも透明であることが望ましいが、半透明や不透明であっても透明な被覆部３からテスト部位の観察を行うことが可能である。蓋部４は、微多孔質フィルム、通気性フィルムや透湿性フィルムなどにより構成することも可能である。また、被覆部３または蓋部４の一方または両方の少なくとも一部が透明であれば、テスト部位の観察を外部から行うことが可能であり、パッチテストの目的を達成することが可能である。
【００２５】
また、本実施形態におけるパッチテスト用保護具１では、被覆部３が平面視で略円状であるが、図４に示すように平面視で略矩形状の貼着部５、被覆部６および蓋部７から構成されるパッチテスト用保護具１Ａとすることも可能である。さらに、図５の（ａ）〜（ｅ）に示すように、テスト部位に合わせて適宜形状を変更することも可能である。
【００２６】
次に、本発明のパッチテスト用保護具のさらに別の実施形態について、図６〜図１０を参照して説明する。図６は本発明のさらに別の実施の形態におけるパッチテスト用保護具の蓋部を開いた状態を示す斜視図、図７は平面図、図８は正面図、図９は図７の蓋部を開いた状態におけるＩＸ−ＩＸ断面図、図１０は図７の蓋部を閉じた状態におけるＩＸ−ＩＸ断面図である。
【００２７】
図６〜図１０に示すように、パッチテスト用保護具１０は、前述の貼着部２と同様の貼着部１１と、貼着部１１上に接着固定された保護具本体１２とから構成される。なお、図７〜図１０においては貼着部１１の図示を省略している。
【００２８】
保護具本体１２は、中心部に開口部１３Ａを有する被覆部１３と、被覆部１３の開口部１３Ａを閉塞可能な蓋部１４とから構成される。保護具本体１２は、ＰＰ（ポリプロピレン）樹脂か、もしくはＰＰ樹脂以上の柔軟性を持つプラスチック素材により、被覆部１３と蓋部１４とが一体に射出成型される。
【００２９】
被覆部１３は、上部に前述の開口部１３Ａが、下部に皮膚上のテスト部位に臨む開口部１３Ｂがそれぞれ形成されたリング状である。なお、貼着部１１にも開口部１３Ｂと同程度の、好ましくは開口部１３Ｂと同一形状の開口部（図示せず。）が形成されており、皮膚上のテスト部位が被覆部１３内に露出する。開口部１３Ａ，１３Ｂは同心円形状であり、下部の開口部１３Ｂの径Ｂ２は上部の開口部１３Ａの径Ｂ１よりも大きくなっている。また、被覆部１３の底周縁部には、貼着部１１との接着固定面積を確保するため、所定の幅Ｂ３の円環状の鍔部１３Ｃが設けられている。
【００３０】
蓋部１４は、接続片１５によって被覆部１３と接続されている。蓋部１４は、接続片１５を折り曲げるようにして被覆部１３の開口部１３Ａ上に重ね合わせ、開口部１３Ａ内に押し込むことで、開口部１３Ａを閉塞可能となっている。また、蓋部１４には、通気が可能であり、かつ、水が浸入しない程度の微小な通気孔１６Ａ，１６Ｂが複数設けられている。通気孔１６Ａは蓋部１４によって開口部１３Ａを閉塞した際に開口部１３Ａの内側に臨む位置に形成されている。通気孔１６Ｂは開口部１３Ａの境界部分に臨む位置に形成されている。
【００３１】
上記構成のパッチテスト用保護具１０では、前述のパッチテスト用保護具１と同様、まず、貼着部１１により皮膚上のテスト部位に貼着し、被覆部１３の開口部１３Ａ，１３Ｂを通じて皮膚上のテスト部位に試験液を垂らす。このとき、上部の開口部１３Ａは下部の開口部１３Ｂよりも内側にあり、開口部１３Ａの径Ｂ１は下部の開口部１３Ｂの径Ｂ２よりも小さくなっているため、垂らした試験液が下部の開口部１３Ｂの縁から鍔部１３Ｃおよび貼着部１１と皮膚との間に入り込みにくくなっている。
【００３２】
その後、接続片１５を折り曲げるようにして蓋部１４を被覆部１３の開口部１３Ａ上に重ね合わせ、開口部１３Ａに押し込んで、蓋部１４により開口部１３Ａを閉塞する。これにより、試験液を垂らしたテスト部位を中心にして保護することが可能である。なお、このパッチテスト用保護具１０では、蓋部１４を繰り返し開閉することが可能となっており、テスト部位の観察は蓋部１４を開いて行う。
【００３３】
また、このパッチテスト用保護具１０では、蓋部１４に通気孔１６Ａ，１６Ｂが形成されているので、この通気孔１６Ａ，１６Ｂにより通気性が確保されており、テスト部位が酸欠状態となることを防止することができ、またテスト部位が蒸れることが防止される。また、通気孔１６Ａ，１６Ｂは水が浸入しない程度の微小なものであるため、パッチテスト用保護具１０に水がかかっても通気孔１６Ａ，１６Ｂを通じて水が浸入せず、防水性も確保されている。
【産業上の利用可能性】
【００３４】
本発明のパッチテスト用保護具およびこれを用いたパッチテスト方法は、美容室、理容室や個人等においてパーマ（パーマネント・ウエーブ）やヘアカラー等をする際の薬物過敏症の試験、いわゆるパッチテスト用の保護具およびパッチテスト方法として有用である。
【符号の説明】
【００３５】
１，１Ａ，１０  パッチテスト用保護具
２，５，１１  貼着部
３，６，１３  被覆部
３Ａ，３Ｂ，１３Ａ，１３Ｂ  開口部
４，７，１４  蓋部
１２  保護具本体
【図１】
2018064937.tif 000003
【図２】
2018064937.tif 000004
【図３】
2018064937.tif 000005
【図４】
2018064937.tif 000006
【図５】
2018064937.tif 000007
【図６】
2018064937.tif 000008
【図７】
2018064937.tif 000009
【図８】
2018064937.tif 000010
【図９】
2018064937.tif 000011
【図１０】
2018064937.tif 000012